(57)【要約】【課題】  複数の装置からなる製品を一体的に且つコンパクトに収容でき、製品の梱包が容易な収容容器を提供する。【解決手段】  パルプモールド製の収容容器１０であって、上面が開口し、第１の被収容物の形状に合わせて成形された収容凹部２０と、収容凹部２０の前記開口の縁部２０ａに連結され収容凹部２０側へ折り返されて、収容凹部２０の縁部２０ａ上の少なくとも一部に載置されると同時に、第２の被収容物を載せる台となる仕切部３０と、第２の被収容物の形状に合わせて成形されるとともに、収容凹部２０の縁部２０ａに連結され、収容凹部２０側へ折り返されて、前記仕切部３０を上方から覆う蓋部４０とを含むことを特徴とする。【選択図】        図１
0003112529.tif 000002
【実用新案登録請求の範囲】
【請求項１】
上面が開口し、第１の被収容物の形状に合わせて成形された収容凹部と、
前記収容凹部の前記開口の縁部の一部に設けられた第１の折り曲げ縁部を介して該収容凹部に連結され、前記第１の折り曲げ縁部において前記収容凹部側へ折り返されて、前記収容凹部の縁部上の少なくとも一部に載置されると同時に、第２の被収容物を載せる台となる仕切部と、
前記第２の被収容物の形状に合わせて成形され、前記収容凹部の縁部の他の一部に設けられた第２の折り曲げ縁部を介して該収容凹部に連結され、前記第２の折り曲げ縁部において前記収容凹部側へ折り返されて、前記仕切部を上方から覆う蓋部と、
を含むことを特徴とするパルプモールド製収容容器。
【請求項２】
請求項１に記載の収容容器において、
前記収容凹部と前記蓋部は、該蓋部が該収容凹部側へ折り返される前の状態において、各々の縁部から同一方向に凹んでいる、
ことを特徴とするパルプモールド製収容容器。
【請求項３】
請求項１又は２に記載の収容容器において、
前記仕切部は、前記第２の被収容物の端面形状に合わせて成形されている、
ことを特徴とするパルプモールド製収容容器。
【請求項４】
請求項３に記載の収容容器において、
前記収容凹部と前記蓋部と前記仕切部は、該収容容器が展開されている状態において、各々の縁部から同一方向に凹んでいる、
ことを特徴とするパルプモールド製収容容器。
【請求項５】
請求項１乃至４のいずれかに記載の収容容器において、
前記収容凹部と前記仕切部と前記蓋部は、一体的に成形される、
ことを特徴とするパルプモールド製収容容器。
【請求項６】
請求項１乃至５のいずれかに記載の収容容器において、
前記収容凹部の縁部は、外方に広がるフランジ状である、
ことを特徴とするパルプモールド製収容容器。
【請求項７】
請求項１乃至６のいずれかに記載の収容容器において、
前記収容凹部の周縁部と前記仕切部の周縁部と前記蓋部の周縁部は、同一平面上に成形される、
ことを特徴とするパルプモールド製収容容器。
【請求項８】
請求項１乃至７のいずれかに記載の収容容器において、
前記仕切部の縁部には、該仕切部が前記収容凹部側へ折り返された状態で、上方に突出する凸状の下側係合部を有し、
前記蓋部の縁部には、該蓋部が前記収容凹部側へ折り返された状態で、前記仕切部の前記下側係合部に対向する位置に、該下側係合部と係合する上側係合部を有する、
ことを特徴とするパルプモールド製収容容器。
【請求項９】
請求項８に記載の収容容器において、
前記上側係合部は、前記蓋部が前記収容凹部側へ折り返された状態で、上方に突出する凸状であり、
前記収容凹部と、前記蓋部と、該蓋部の縁部に形成される前記上側係合部と、前記仕切部と、該仕切部の縁部に形成される前記下側係合部は、該収容容器が展開されている状態において、各々の縁部から同一方向に凹んでいる、
ことを特徴とするパルプモールド製収容容器。
【請求項１０】
請求項１乃至９のいずれかに記載の収容容器において、
前記仕切部の縁部に設けられる第３の折り曲げ縁部を介して該仕切部に連結し、該仕切部が前記収容凹部側へ折り返される前に、前記第３の折り曲げ縁部において前記仕切部側へ折り返された後、該仕切部と一体的に前記収容凹部側へ折り返される保持仕切部をさらに含む、
ことを特徴とするパルプモールド製収容容器。
【請求項１１】
請求項１０に記載の収容容器において、
前記保持仕切部は、前記第１の被収容物の端面形状に合わせて成形されている、
ことを特徴とするパルプモールド製収容容器。
【請求項１２】
請求項１１に記載の収容容器において、
前記収容凹部と前記仕切部と前記蓋部と前記保持仕切部は、該収容容器が展開されている状態において、各々の縁部から同一方向に凹んでいる、
ことを特徴とするパルプモールド製収容容器。
【考案の詳細な説明】
【技術分野】
【０００１】
本考案はパルプモールド製の収容容器に関し、特に複数の装置からなる製品をコンパクトに収容できる収容容器に関する。
【背景技術】
【０００２】
比較的軽量の電気製品（例えば、携帯用ゲーム装置や携帯用音楽再生装置）などを搬送用の外箱内に梱包して消費者に提供する際に、これらの電気製品は、搬送時に外部から受ける衝撃を緩衝するために、厚紙や発砲スチロール等からなる収容容器に収容されて外箱内に支持されている場合が多い。
【０００３】
しかし、消費者に提供される製品が複数の装置からなる場合において、厚紙を使用してこれらの装置を一つの外箱内に支持し、且つ緩衝効果を有するには、厚紙の形状を複雑にする必要がある。つまり、例えば製品が製品本体と付属装置からなる場合、厚紙を製品本体と付属装置の形状に合わせて多数の個所で折り曲げ、製品本体と付属装置とを包容する必要がある。さらに緩衝効果をもたらすために、厚紙をさらに複数の箇所で折り、複数の突部を設けて、該突部を外箱に当接させる必要がある。そのため、煩雑な梱包作業を要し、また消費者が外箱から厚紙とともに製品本体と付属装置とを取り出し、一旦厚紙を開けると、再び厚紙を元の形状に戻して利用することが困難であった。また、発砲スチロールを用いる場合には、厚紙のように折ることができないため、各装置の形状に合わせて成形した発砲スチロールを複数用いる必要があり、発砲スチロールの点数が多く、梱包作業の効率性が良くないという問題があった。
【０００４】
この点、製品の収容容器としてパルプモールドを使用した場合には、収容容器の形状を予め各装置に合わせると共に、緩衝効果を有するように成形することができ、厚紙に比べその形状を簡素化することができる。また、発砲スチロールに比べ、その点数も少なくすることができる。
【考案の開示】
【考案が解決しようとする課題】
【０００５】
しかしながら、パルプモールドを使用した従来の収容容器においては、例えば、卵や果物等の食材に用いられる収容容器に見られるように、複数の収容物は縦横に並んで配置され、それぞれ保持されている。そのため、収容容器の縦横のサイズが大きくなり、搬送や製品の陳列には不便であった。
【０００６】
本考案は上記課題に鑑みてなされたものであって、その目的は、複数の装置からなる製品を一体的に且つコンパクトに収容でき、製品の梱包が容易な収容容器を提供することにある。
【課題を解決するための手段】
【０００７】
上記課題を解決するために、本考案に係るパルプモールド製収容容器は、上面が開口し、第１の被収容物の形状に合わせて成形された収容凹部と、前記収容凹部の前記開口の周縁部の一部に設けられた第１の折り曲げ縁部を介して連結し、該第１の折り曲げ縁部において前記収容凹部側へ折り返されて、該収容凹部の周縁部上の少なくとも一部に載置されると同時に、第２の被収容物を載せる台となる仕切部と、前記第２の被収容物の形状に合わせて成形され、前記収容凹部の周縁部の他の一部に設けられた第２の折り曲げ縁部を介して連結し、該第２の折り曲げ縁部において前記収容凹部側へ折り返されて、前記仕切部を上方から覆う蓋部と、を含むことを特徴とする。
【０００８】
本考案によれば、収容凹部に第１の被収容物を収容し、その上方に第２の被収容物を仕切部の上に載せて収容できるので、複数の装置からなる製品をコンパクトに収容することができる。なお、第１の被収容物や第２の被収容物は製品本体やその付属装置であり、例えば製品本体は、ゲーム装置や音楽再生装置、カメラ、携帯電話などの各種電気製品であり、付属装置は、バッテリやアダプタ、情報記憶媒体等の製品本体に付随して使用される装置である。この製品本体や付属装置は各々１つの装置からなるものに限られず、各々が２つ以上の装置からなるものであってもよい。仕切部は、板状のものや、第１の被収容物あるいは第２の被収容物の形状に合わせて凹凸を有するものである。この仕切部の収容凹部への取り付け位置は、第１の折り曲げ縁部において収容凹部側へ折り返すことができる位置であれば、収容凹部の縁部のいずれの位置であってもよい。また、蓋部の収容凹部への取り付け位置は、第２の折り曲げ縁部において収容凹部側へ折り返すことができる位置であって、仕切部の連結位置とは異なる位置であれば、収容凹部の縁部のいずれの位置であってもよい。
【０００９】
また、本考案の一態様では、前記収容凹部と前記蓋部は、該蓋部が該収容凹部側へ折り返される前の状態において、各々の縁部から同一方向に凹んでいることを特徴とする。この態様では、収容凹部及び蓋部の凹み方向が同一であるため、プレス加工などの製造工程が容易になる。
【００１０】
また、本考案の一態様では、前記仕切部は、前記第２の被収容物の端面形状に合わせて成形されていることを特徴とする。この態様によれば、製品の搬送時等において、仕切部上で第２の被収容物が揺動することが抑制され、収容容器内での第２の被収容物の保持強度を増すことができる。また、仕切部上において第２の被収容物を載置すべき位置が予め決められていることになり、梱包作業が容易になる。
【００１１】
また、本考案の一態様では、前記収容凹部と前記蓋部と前記仕切部は、該収容容器が展開されている状態において、各々の縁部から同一方向に凹んでいることを特徴とする。この態様によれば、収容凹部、蓋部及び仕切部の凹み方向が同一であるため、収容容器の製造がより容易になる。なお、ここで収容容器が展開されている状態とは、仕切部及び蓋部を収容凹部側へ折り返していないために各部が未だ重なり合っていない状態、すなわち収容容器の組立て前の状態である。
【００１２】
また、本考案の一態様では、前記収容凹部と前記仕切部と前記蓋部は、一体的に成形されることを特徴とする。この態様によれば、収容容器が一体的に成形されているので、収容容器の部材点数が１つしかなく、製造が簡易であり、また第１の被収容物及び第２の被収容物の梱包作業が容易である。
【００１３】
また、本考案の一態様では、前記収容凹部の縁部は、外方に広がるフランジ状であることを特徴とする。この態様によれば、パルプモールドが元来備えている緩衝作用のみならず、フランジ状に成形された収容凹部の縁部が、収容容器を納める外箱の内側に当接するので、収容容器の緩衝効果を増すことができる。
【００１４】
また、本考案の一態様では、前記収容凹部の周縁部と前記仕切部の周縁部と前記蓋部の周縁部は同一平面上にあることを特徴とする。この態様によれば、仕切部及び蓋部を収容凹部側へ折り返した際に、収容凹部の周縁部と仕切部の周縁部とが間隙なく当接するとともに、仕切部の周縁部と蓋部の周縁部も間隙なく当接する。これにより、第１の被収容物及び第２の被収容物を収容した後の収容容器の外観が良く、また収容容器内におけるこれらの被収容物の支持がより確実なものとなる。
【００１５】
また、本考案の一態様では、前記仕切部の縁部には、該仕切部が前記収容凹部側へ折り返された状態で、上方に突出する凸状の下側係合部を有し、前記蓋部の縁部には、該蓋部が前記収容凹部側へ折り返された状態で、前記仕切部の前記下側係合部に対向する位置に、該下側係合部と係合する上側係合部を有することを特徴とする。この態様によれば、上側係合部と下側係合部とが係合し、蓋部が仕切部に固定されるので、収容容器内における被収容物の支持がより確実なものとなる。
【００１６】
また、本考案の一態様では、前記上側係合部は、前記蓋部が前記収容凹部側へ折り返された状態で、上方に突出する凸状であり、前記収容凹部と、前記蓋部と、該蓋部の縁部に形成される前記上側係合部と、前記仕切部と、該仕切部の縁部に形成される前記下側係合部は、該収容容器が展開されている状態において、各々の縁部から同一方向に凹んでいる、ことを特徴とする。この態様によれば、収容容器の各部の凹み方向が、その縁部から同一方向に凹んでいるので、収容容器の製造が容易になる。
【００１７】
また、本考案の一態様では、前記仕切部の縁部に設けられる第３の折り曲げ縁部を介して該仕切部に連結し、該仕切部が前記収容凹部側へ折り返される前に、前記第３の折り曲げ縁部において前記仕切部側へ折り返された後、前記仕切部と一体的に前記収容凹部側へ折り返される保持仕切部をさらに含むことを特徴とする。この態様によれば、保持仕切部が仕切部と一体的に収容凹部側に折り返されて収容凹部上に載置されるので、側方からの外力に対して強い収容容器が実現される。
【００１８】
また、本考案の一態様では、前記保持仕切部は、前記第１の被収容物の端面形状に合わせて成形されていることを特徴とする。この態様によれば、収容容器内における第１の被収容物の揺動を抑制することができる。
【００１９】
また、本考案の一態様では、前記収容凹部と前記仕切部と前記蓋部と前記保持仕切部は、該収容容器が展開されている状態において、同一方向に凹んでいることを特徴とする。この態様によれば、収容凹部、蓋部、仕切部及び保持仕切部の凹み方向が同一であるため、収容容器の製造がより容易になる。
【考案を実施するための最良の形態】
【００２０】
以下、本考案の一実施形態について図面に基づき詳細に説明する。
【００２１】
図１は本考案の一実施形態に係る収容容器の展開している状態、すなわち収容容器の組立て前の状態を示す斜視図であり、図２は本実施形態に係る収容容器の平面図であり、図３は図２のIII−III線断面図であり、図４は図２のIV−IV線断面図であり、図５は図２のV−V線断面図であり、図６は図２のVI−VI線断面図であり、図７は本実施形態に係る収容容器に被収容物を収容し、該収容容器を組立てた状態の断面図である。
【００２２】
本実施形態において、収容容器１０は、図１及び図２、図７に示すように、アダプタやバッテリなどの複数の付属装置と、携帯用ゲーム装置や携帯用音楽再生装置、携帯電話などの製品本体とを積層して収容し、搬送用等の外箱に納められて外箱内にて製品本体等を保持しつつ、緩衝材として機能する容器である。収容容器１０は、複数の付属装置を収容する収容凹部２０と、該収容凹部２０に連結され付属装置を収容した後には収容凹部２０の上に載置され、製品本体を載せる台となる仕切部３０と、同じく収容凹部２０に連結され、仕切部３０上に製品本体を載せた後、製品本体を上方から覆う蓋部４０とを備えており、これらはパルプモールド材で一体的に成形されている。
【００２３】
収容凹部２０は、図１乃至図３に示すように、収容容器１０を展開している状態で、上面が開口した概略箱状の形状をなし、平面視で矩形の一角が四角く切除され、外方へ向かって開口する開口部２２を有している。収容凹部２０内は第１の付属装置５０ａ（例えば、アダプタなど）を収容する第１収容室２４と、第２の付属装置５０ｂ（例えば、バッテリなど）を収容する第２収容室２５とに区画されている。
【００２４】
第１の収容室２４は、緩衝材としての機能を有するように第１の付属装置５０ａの形状に合わせて成形されている（図７参照）。具体的には、第１の収容室２４は、平面視において概略矩形の底壁２４ａと、該底壁２４ａの周縁から立設される側壁２４ｂとによって囲まれている。底壁２４ａの長手方向の中央近傍には、側壁２４ｂの一方側から他方側に亘って断面台形状に起立する起立部２４ｇが成形されている（図３参照）。起立部２４ｇは、底壁２４ａの最下面から起立する高起立部２４ｇ’と、高起立部２４ｇ’より高さの低い低起立部２４ｇ”と有し、段差を設けて成形されている。この起立部２４ｇは、高起立部２４ｇ’において第１の付属装置５０ａを支持し、より効果的な緩衝機能を有すると共に、段差を設けて成形されることにより、平面状の底壁部分を少なくして、収容容器１０の強度を増している。また、第１の付属装置５０ａの形状に合わせて、第１の収容室２４の隅下部に多段に第１の収容室２４内側に張り出す階段状凸部２４ｅが成形されおり（図５参照）、この階段状凸部２４ｅも収容容器１０の緩衝機能及び強度を増している。
【００２５】
第１の収容室２４の側壁２４ｂにはその一部に上述した開口部２２が設けられている。第１の収容室２４には、上述したように、例えばアダプタなどの付属装置が収容されるようになっている。電源プラグを有するアダプタの様に、多くのタイプが存在する部品を備える付属装置を第１の収容室２４に収容する場合には、該部品のみが開口部２２から収容容器１０の外側に配置されるようになっている。これにより、部品のタイプごとに収容容器１０を成形する必要を無くすことができ、生産性において優れた収容容器１０が実現されている。
【００２６】
第２の収容室２５は、緩衝材としての機能を有するように第２の付属装置の形状に合わせて成形されている（図７参照）。具体的には、第２の収容室２５は、収容凹部２０の縁部２０ａから第２の収容室２５の底壁２５ａに向けて左右両側から階段状に絞り込まれる形状を有し、底壁２５ａより高い位置に保持底壁２５ｃを有している（図６参照）。第２の付属装置５０ｂはこの保持底壁２５ｃに載置され、第２の収容室２５にて保持されている。
【００２７】
第２の収容室２５には、底壁２５ａから側壁２５ｄに沿って凸設される凸片部２５ｆが成形さされている。また、第１の収容室２４には、底壁２４ａから側壁２４ｃに沿って凸設される凸片部２４ｆが成形されている。この凸片部２４ｆ、２５ｆは、収容容器１０が複数重ねられた場合に、それらが強固に嵌合し合い、各収容容器１０ごとに分離できなくなることを防止している。
【００２８】
収容凹部２０の上方に向かって開く開口の縁部２０ａは、外方に広がるフランジ状に成形されている。収容容器１０が組立てられて外箱内に収められると、該縁部２０ａが外箱の内面に当接されて、収容容器１０が緩衝材としての機能を増すようになっている。
【００２９】
仕切部３０は、概略板状をなし、その縁部３０ｂにおいて収容凹部２０に連結されている。具体的には、図１又は図２に示すように、収容凹部２０の長手方向の縁部２０ｂ’には直線状の折り曲げ縁部２０ｅが設けられており、仕切部３０は該折り曲げ縁部２０ｅを介して収容凹部２０に連結されている。折り曲げ縁部２０ｅは、仕切部３０が収容凹部２０側へ折り返しが可能となるように、僅かに下方に膨らむ断面半円弧状に成形されている（図５参照）。仕切部３０には、仕切部３０上において製品本体５１を置く位置を案内するために、製品本体の下面の形状に合わせて、収容容器１０を展開した状態で下方に膨らむガイド３０ａが成形されている（図１、図５、図７参照）。仕切部３０は、折り曲げ縁部２０ｅにおいて収容凹部２０側（図１、図５、図６においてαの示す方向）に折り返されると、収容凹部２０の縁部２０ａ上に載置され、収容凹部２０の上面の開口を閉鎖する。このとき、収容容器１０を展開した状態では下方に膨らんでいたガイド３０ａが上方に膨らむようになり、このガイド３０ａに合わせて製品本体を仕切部３０上に載置できるようになっている（図７参照）。
【００３０】
収容凹部２０の長手方向の縁部２０ａのうち、仕切部３０が連結される側とは反対側の縁部２０ｂ”にも直線状の折り曲げ縁部２０ｆが設けられており、蓋部４０は該折り曲げ縁部２０ｆを介して収容凹部２０に連結されている（図１又は図２参照）。蓋部４０の収容凹部２０側への折り返しが可能となるように、この折り曲げ縁部２０ｆも断面半円弧状に成形されている（図５参照）。蓋部４０は概ね製品本体の形状に合わせて成形されている。仕切部３０が収容凹部２０側に折り返された後に、蓋部４０は折り曲げ縁部２０ｆにおいて収容凹部２０側（図１、図５、図６においてβの示す方向）へ折り返されると、その縁部４０ｃを仕切部３０の縁部３０ｂに当接し、製品本体５１を上方から覆うようになっている（図７参照）。
【００３１】
なお、蓋部４０の縁部４０ｃには、収容容器１０を展開した状態で下方に向いて凸設される補強用リブ４０ｄが複数成形されている（図１又は図４参照）。また、蓋部４０の底壁４０ａには、側壁４０ｂに沿って凸設される凸片部４０ｅ、４０ｆが成形されている（図２参照）。この凸片部４０ｅ、４０ｆも、収容凹部２０の凸片部２４ｆ、２５ｆと同様に、収容容器１０が複数重ねられた場合に、それらが強固に嵌合し合い、各収容容器１０ごとに分離できなくなることを防止している。
【００３２】
収容凹部２０と蓋部４０と仕切部３０は、収容容器１０を展開した状態において、いずれも各部の縁部から同一方向に凹むように成形されている。すなわち、上述したように、収容凹部２０は付属装置の形状に合わせて下方に凹んでいる。蓋部４０は、収容容器１０が展開されている状態で、製品本体の形状に合わせて下方に凹むように成形され、その縁部４０ｃには、下方に向いて凸設される補強リブ４０ｄが成形されている。仕切部３０には、収容容器１０を展開している状態において、下方に凹んで製品本体５０の載置位置を案内するガイド３０ａが成形されている。この収容凹部２０及び蓋部４０の凹みと、該蓋部４０の補強リブ４０ｇと、仕切部３０のガイド３０ａは、それぞれの縁部２０ａ、４０ｃ、３０ｄから下方に向いて凹んでいる。収容容器１０をこのように成形することにより、製造が容易になっている。
【００３３】
仕切部３０の縁部３０ｂ及び蓋部４０の縁部４０ｃは、収容凹部２０の縁部２０ａと同様に、外方に広がるフランジ状に成形されている。仕切部３０の縁部３０ｂと蓋部４０の縁部４０ｃと収容凹部２０の縁部２０ａは、同一平面上に成形されている。このため、仕切部３０が収容凹部２０側へ折り返された後、蓋部４０が収容凹部２０側へ折り返されると、各縁部は間隙なく当接する。これにより、製品本体５１及び付属装置５０ａ、５０ｂを収容した後の収容容器１０の外観が良く、また収容容器１０内におけるこれらの被収容物の支持がより確実なものとなっている。
【００３４】
図１及び図２に示すように、仕切部３０の縁部３０ｂと収容凹部２０の長手方向の縁部２０ｂ’には、折り曲げ縁部２０ｅを跨ぐ円状の孔２０ｇが設けられている。また、蓋部４０の縁部４０ｃにおける、蓋部４０を収容凹部２０側へ折り返した際に孔２０ｇに対向する位置には、半円状の切り欠き部４０ｈが設けられている。この孔２０ｇと切り欠き部４０ｈの縁は、仕切部３０及び蓋部４０を収容凹部２０側に折り返し、収容容器１０を組立てると平面視半円形に凹んだ凹部となる。同様に、蓋部４０の縁部ｃと収容凹部２０の長手方向の縁部２０ｂ”にも、折り曲げ縁部２０ｆを跨ぐ円状の孔２０ｈが設けられており、この孔２０ｈも仕切部３０及び蓋部４０を収容凹部２０側に折り返し収容容器１０を組立てると平面視半円形に凹んだ凹部となる。これらの凹部は、収容容器１０を搬送用の外箱に収容する際や外箱から取り出す際に、梱包作業者あるいは消費者により指で挟持され、取り出し作業や梱包作業を容易にしている
【００３５】
仕切部３０の縁部３０ｂには、収容容器１０を展開した状態で、下方に向かって凸設する平面円形の下側係合部３０ｃが成形されている。一方、蓋部４０の縁部４０ｃにおける下側係合部３０ｃに対向する位置には、収容容器１０を展開した状態で、下方に向かって凸設する平面視正方形の上側係合部４０ｇが成形されている。仕切部３０が収容凹部２０側へ折り返された後、蓋部４０が収容凹部２０側へ折り返されると、下側係合部３０ｃが上側係合部４０ｇに嵌入されて、蓋部４０が仕切部３０に固定され、収容容器１０内における製品本体５１の支持がより確実なものとなっている。なお、この下側係合部３０ｃと上側係合部４０ｇは、収容容器１０を展開している状態において、各々下方に向かって凸設されており、収容容器１０における各部の凹み方向は、収容容器１０の縁部から同一方向に統一されている。すなわち、収容凹部２０と、仕切部３０と、該仕切部３０に形成される下側係合部３０ｃと、蓋部４０と、該蓋部に形成される上側係合部４０ｇは、収容容器１０を展開している状態においては、各々の縁部から下方に凹んでいる。これにより、収容容器１０の製造が容易になっている。
【００３６】
本実施形態に係る収容容器１０によれば、製品本体５１と付属装置５０ａ、５０ｂとを積層して収容するので、コンパクトな収容容器１０が実現されている。また、付属装置５０ａ、５０ｂと製品本体５１との間には仕切部３０が設けられているので、搬送中にこれらの装置が収容容器１０内で混在することを防止できている。
【００３７】
なお、本考案は上記実施形態に限定されるものではなく、種々の変形が可能である。例えば、以上説明した収容容器１０では、蓋部４０は収容凹部２０を挟んで仕切部３０と反対側の長手方向の縁部２０ｂ”に連結されていたが、蓋部４０や仕切部３０の位置はこれに限れない。図８に示す収容容器１０ａのように、蓋部４０を収容凹部２０の長手方向の縁部２０ｂ”に連結すると共に、仕切部３０を収容凹部２０の短手方向の縁部２０ｃに連結するようにしてもよい。なお、同図においては、上述した収容容器１０と同一箇所については同一番号を付し、収容容器の主要な構成のみを示している。また、この収容容器１０ａにおいても、収容容器１０と同様に、収容容器２０と、仕切部３０と、蓋部４０は、該収容容器１０ａを展開している状態において、いずれも各々の縁部から同一方向に凹んでいる。
【００３８】
また上記実施形態では、蓋部４０の縁部４０ｃに設けられる上側係合部４０ｇは、収容容器１０を展開している状態で下方に凸設しているが、上側係合部４０ｇは凸設されるものに限られず、例えば、下側係合部３０ｃと概ね同径の孔であってもよい。この場合、上側係合部４０ｇに下側係合部３０ｃが嵌入されて、蓋部４０は仕切部３０に固定される。
【００３９】
また、収容容器１０に２つの仕切部を設けるようにして、側方からの外力に対しての強度を増すと共に、この２つの仕切部の間に薄型の付属品（例えば、薄型の装置や製品に関する説明書など）を収容するようにしてもよい。図９は、この形態に係る収容容器１１を展開している状態の平面図であり、図１０は図９のX−X線断面図である。これらの図において、上述した収容容器１０と同一箇所については同一番号を付し、収容容器の主要な構成のみを示している。
【００４０】
図９に示すように、この形態に係る収容容器１１では、以上説明した製品本体５１の位置を案内するガイドが成形される仕切部３０のほかに、付属装置５０ａ、５０ｂの上面形状に合わせて下方に凹むガイド３１ａが成形され、収容容器１１内での付属装置５０ａ、５０ｂの揺動を抑制する保持仕切部３１が設けられる。図１０に示すように、収容容器１１が展開されている状態において、この保持仕切部３１のガイド３１ａは、収容容器１１の各部の凹み方向と同一方向に凹んで成形されている。こうすることにより、収容容器１１の製造がより容易になっている。
【００４１】
仕切部３０は収容凹部２０の長手方向の縁部２０ｂ’に連結され、保持仕切部３１は、仕切部３０における収容凹部２０とは反対側の長手方向の縁部３０ｂ’に折り曲げ縁部３０ｅを介して連結される。蓋部４０は、収容凹部４０における仕切部３０とは反対側の縁部２０”に連結される。
【００４２】
収容容器１１は、各折り曲げ縁部において、保持仕切部３１と、仕切部３０と、蓋部４０とを順次収容凹部２０側へ折り返すことにより組立てられる。具体的には、仕切部３０の上に上述した薄型の付属品を載置し、保持仕切部３１を折り曲げ縁部３０ｅにおいて仕切部３０側に折り返す。そして、仕切部３０と保持仕切部３１と、これらの間に挟持された薄型の付属品とを一体的に収容凹部２０側へ折り返す。このとき、仕切部３０は、仕切部３０のガイドが上方に膨らんだ状態で、保持仕切部３１と薄型の付属品とともに収容凹部２０上に載置されている。一方、保持仕切部３１のガイド３１ａは、収容凹部２０に収容されている付属装置５０ａ、５０ｂ側に向かって凸設される状態となり、これらの揺動を抑制するようになる。そして、仕切部３０の上に製品本体５１を載置して、蓋部４０を収容凹部２０側へ折り返すと、製品本体５１は蓋部４０にて上方から覆われて収容容器１１が組立てられる。なお、以上説明した収容容器１１においては、保持仕切部３１がガイド３１ａを有しているが、このガイド３１ａが成形されることなく板状であっても、側方からの外力に対して強度を増すことができ、また、仕切部３０と保持仕切部３１との間で薄型の装置等を保持することができる。
【００４３】
図１１（ａ）乃至（ｃ）は、保持仕切部３１を有する収容容器の他の例の平面図である。図１１（ａ）に示す収容容器１１ａでは、仕切部３０は収容凹部３１の長手方向の縁部２０ｂ’に連結され、保持仕切部３１は仕切部３０の短手方向の縁部３０ｂ”に連結される。蓋部４０は、収容凹部２０の短手方向の縁部２０ｃであって、保持仕切部３１が設けられている側と同じ側の縁部に連結される。また、図１１（ｂ）に示す収容容器１１ｂでは、仕切部３０は収容凹部２０の長手方向の縁部２０ｂ’に連結され、保持仕切部３１は仕切部３０の短手方向の縁部３０ｂ”に連結されている。蓋部４０は、収容凹部２０の短手方向の縁部２０ｃであって、保持仕切部３１が設けられている側とは反対側の縁部に連結されている。図１１（ｃ）に示す収容容器１１ｃにおいて、仕切部３０は収容凹部２０の長手方向の縁部２０ｂ’に連結され、保持仕切部３１は仕切部３０の長手方向の縁部３０ｂ’であって、収容凹部２０が設けられている側とは反対側の縁部に連結されている。蓋部４０は、収容凹部２０の短手方向の縁部２０ｃに連結されている。なお、以上説明した収容容器１１ａ、１１ｂ、１１ｃにおいても、これらの収容容器を展開している状態において、収容容器２０と、仕切部３０と、蓋部４０と、保持仕切部３１は、各々の縁部から同一方向に凹んでおり、これにより、収容容器の製造が容易になっている。
【００４４】
図１１（ａ）乃至（ｃ）に示される収容容器１１ａ、１１ｂ、１１ｃの組立ては、上述した図９に示した収容容器１１の場合と同様に、まず保持仕切部３１を仕切部３０側に折り返し、次に保持仕切部３１と仕切部３０とを一体的に収容凹部２０側に折り返し、最後に蓋部４０を収容凹部２０側に折り返して行われる。
【００４５】
以上説明した保持仕切部３１を有する収容容器によれば、第１の被収容物と第２の被収容物の他に第３の被収容物を収容する場合であっても、これらを積層して収容することができ、コンパクトな収容容器が実現される。また、側方から受ける外力に対して強い収容容器が実現される。
【００４６】
なお、以上説明した収容容器はいずれも、該収容容器を展開している状態で、各部の凹み方向が全て下方であるように成形されていたが、例えば、仕切部３０に成形されるガイド３０ａや、保持仕切部３１に成形されるガイド３１ａ、補強リブ４０ｄなどにおいて、収容容器が部分的にその縁部から上方に膨らむようにしてもよい。
【図面の簡単な説明】
【００４７】
【図１】本考案の実施形態に係る収容容器の斜視図である。
【図２】上記収容容器の平面図である。
【図３】図２のIII−III線断面図である。
【図４】図２のIV−IV線断面図である。
【図５】図２のV−V線断面図である。
【図６】図２のVI−VI線断面図である。
【図７】被収容物を収容した上記収容容器の断面図である。
【図８】本考案の他の実施形態に係る収容容器の平面図である。
【図９】本考案の他の実施形態に係る収容容器の平面図である。
【図１０】図９のX−X線断面図である。
【図１１】本考案の他の実施形態に係る収容容器の平面図である。
【符号の説明】
【００４８】
１０  収容容器、２０  収容凹部、２２  開口部、２３  仕切凸部、２４  第１の収容室、２５  第２の収容室、３０  仕切部、３１  保持仕切部、４０  蓋部。
【図１】
0003112529.tif 000003
【図２】
0003112529.tif 000004
【図３】
0003112529.tif 000005
【図４】
0003112529.tif 000006
【図５】
0003112529.tif 000007
【図６】
0003112529.tif 000008
【図７】
0003112529.tif 000009
【図８】
0003112529.tif 000010
【図９】
0003112529.tif 000011
【図１０】
0003112529.tif 000012
【図１１】
0003112529.tif 000013